(57)【要約】      （修正有）【課題】自動原稿送り装置を備えた画像読取装置で、原稿のサイズ混載を検知し、ユーザーが各原稿のサイズに合わせて記録シートのサイズを自動的に選択する混載モードの指定を忘れた時にもミスコピーの発生や作業性の低下を回避し、ユーザが所望のコピー動作を設定できるよう補助すること。【解決手段】  原稿１枚毎のサイズを検知し、混載モード指定されていない場合に原稿の混載を検知した時、混載モードの動作説明画面を表示する。【選択図】図９
2006108858.tif 000002
【特許請求の範囲】
【請求項１】
自動原稿送り装置を備えた画像読取装置において、原稿束を載置する原稿トレイと、
前記原稿トレイ上に載置された原稿束の主走査幅に合わせてスライド可能な原稿幅規制手段と、
前記原稿トレイから画像読取位置まで搬送する原稿搬送路と、
前記原稿トレイ上の原稿束から１枚ずつ前記原稿搬送路へ給紙する分離手段と、
前記分離手段から前記原稿搬送路へ給紙された原稿の先端を検知する検知手段と、
前記搬送される原稿１枚ごとのサイズを検出する原稿サイズ検出手段と、
前記自動原稿送り装置から給紙する複数枚の原稿束に異なる原稿サイズが含まれる事を指示する第１の指示手段と、
前記第１の指示手段により、複数の異なるサイズの原稿が前記自動原稿送り装置に載置されている事を指示された場合、各原稿サイズに応じて、複写出力する用紙のサイズを変えるモードの動作説明画面を表示する手段をもつことを特徴とする画像読取装置。
【請求項２】
前記第１の指示手段により、複数の異なるサイズの原稿が前記自動原稿送り装置に載置されている事を指示された場合、画像形成動作開始前に混載モードを説明した画面を表示することを特徴とする請求項第一項記載の画像読取装置。
【請求項３】
前記第１の指示手段により、複数の異なるサイズの原稿が前記自動原稿送り装置に載置されている事を指示された場合、画像読み取り動作中に混載モードを説明した画面を表示することを特徴とする請求項第一項記載の画像読取装置。
【請求項４】
前記複写出力する用紙のサイズを変えるモードの動作説明画面を表示する手段は、複写出力する用紙のサイズを変えるモードが設定されていない場合に表示することを特徴とする請求項第一項記載の画像読取装置。
【請求項５】
前記動作説明画面の表示、非表示が選択可能であることを特徴とする請求項第一項記載の画像読取装置。
【発明の詳細な説明】
【技術分野】
【０００１】
本発明は、画像読取装置、及び、それを具備した画像形成装置に関する。
【背景技術】
【０００２】
従来、原稿群の中にサイズの異なる原稿が混じっている場合でも、各原稿のサイズに合わせて記録シートのサイズを自動的に選択することができるモードである混載モードという機能が知られている。混載モードが指示された場合、画像形成される出力シートのサイズは、１枚毎の原稿サイズに合わせて出力される。また、原稿群の中にサイズの異なる原稿が混じっている場合でも、混載モードを指定しない場合は、予めユーザによって指定された用紙サイズか、又は１枚目の原稿のサイズに画像形成をおこない、出力シートのサイズは同一サイズに画像形成出力することになる。
【０００３】
しかしながら、原稿束の中にサイズの異なる原稿が混在しているかどうかを認識しない場合や、が多々あり、原稿束の中にサイズの異なる原稿が混在している場合においても混載モードを設定せずに複写動作を指示することがしばしば見受けられる。結果、ユーザが所望しない結果で画像形成が出力完了されてしまうことになる。ミスコピーの生成や、ユーザの作業性を低下させてしまうことになる。
【０００４】
上記問題点に関して、複写動作前に原稿サイズを検知し、サイズ検知の結果サイズの異なる原稿であると判断した場合、自動的に混載モードを設定するようにする提案がなされている（例えば、特許文献１参照）。
【特許文献１】特開平１１−２７２０２１号公報
【発明の開示】
【発明が解決しようとする課題】
【０００５】
しかしながら、上記発明においては、自動で混載モードにしてしまうため、逆にユーザが所望するプリント結果にならない場合がある。
【０００６】
例えば、図５に示すように原稿としてはＡ３とＡ４が混在している。Ａ３の右半分はメモ用として存在しているページである。この原稿に対して、ユーザが内容を記載しているページのみをＡ４にプリントしたい場合、混載モードに設定した場合は、Ａ３、Ａ４にそれぞれ画像形成することになる。混載を指定しない場合は、ユーザが望むユーザが指定した単一種類の用紙（ここではＡ４サイズ）に画像形成されることになる。
【０００７】
すなわち、原稿のサイズ混載を検知し、その結果混載モードを自動で設定した場合、このようなケースにおいては対応が不可能である。しかしながら、上記特許文献１においてもいわれている通り、ユーザが各原稿のサイズに合わせて記録シートのサイズを自動的に選択する混載モードを指定した画像出力を望んでいる場合においては、単に混載モードを指定することを忘れる場合もある。
【０００８】
このような問題を解決するため、本発明は、ユーザが所望のコピー動作を設定できるよう補助する装置を提供することを目的とする。
【課題を解決するための手段】
【０００９】
上記目的を達成する為に、本発明は、自動原稿送り装置を備えた画像読取装置において、原稿束を載置する原稿トレイと、前記原稿トレイ上に載置された原稿束の主走査幅に合わせてスライド可能な原稿幅規制手段と、前記原稿トレイから画像読取位置まで搬送する原稿搬送路と、前記原稿トレイ上の原稿束から１枚ずつ前記原稿搬送路へ給紙する分離手段と、前記分離手段から前記原稿搬送路へ給紙された原稿の先端を検知する検知手段と、前記搬送される原稿１枚ごとのサイズを検出する原稿サイズ検出手段と、前記自動原稿送り装置から給紙する複数枚の原稿束に異なる原稿サイズが含まれる事を指示する第１の指示手段と、前記第１の指示手段により、複数の異なるサイズの原稿が前記自動原稿送り装置に載置されている事を指示された場合、各原稿サイズに応じて、複写出力する用紙のサイズを変えるモードの動作説明画面を表示する手段をもつことを特徴とする。
【００１０】
また、前記第１の指示手段により複数の異なるサイズの原稿が前記自動原稿送り装置に載置されている事を指示された場合、画像形成動作開始前に混載モードを説明した画面を表示することを特徴とする。
【００１１】
また、前記第１の指示手段により複数の異なるサイズの原稿が前記自動原稿送り装置に載置されている事を指示された場合、画像読み取り動作中に混載モードを説明した画面を表示することを特徴とする。
【００１２】
また、前記複写出力する用紙のサイズを変えるモードの動作説明画面を表示する手段は、複写出力する用紙のサイズを変えるモードが設定されていない場合に表示することを特徴とする。
【００１３】
また、前記動作説明画面の表示、非表示が選択可能であることを特徴とする。
【発明の効果】
【００１４】
本発明によれば、異なるサイズの原稿読み取り動作を行った場合、その動作がユーザが所望する動作なのか否なのか，ユーザが確認することが可能となり、ミスコピーの発生を防ぐことが可能となる。
【００１５】
また、混載モードの機能説明を表示することによって、ユーザが操作方法を習得することを助長するとともに、ユーザ操作性を向上させることが可能となる。
【発明を実施するための最良の形態】
【００１６】
図１は本発明の画像形成装置の実施の一形態の主要部構成を示す縦断面図である。以下、本発明の一実施例を説明する。
【００１７】
（全体構成）
画像形成装置は、図１に示すように、画像形成装置本体１０と、フィニッシャ７００とから構成され、画像形成装置本体１０は原稿画像を読み取るイメージリーダ２００およびプリンタ３００を備える。
【００１８】
イメージリーダ２００には、原稿給送装置１００が搭載されている。原稿給送装置１００は、原稿トレイ上に上向きにセットされた原稿を先頭頁から順に１枚づつ左方向へ給紙し、湾曲したパスを介してプラテンガラス２２２上を左から流し読取り位置を経て右へ搬送し、その後外部の排紙トレイ１２１に向けて排出する。この原稿がプラテンガラス２２２上の流し読取り位置を左から右へ向けて通過するときに、この原稿画像は流し読取り位置に対応する位置に保持されたスキャナユニット２２４により読み取られる。この読取り方法は、一般的に、原稿流し読みと呼ばれる方法である。原稿給送装置１００に関しては後ほど詳細を説明する。
【００１９】
原稿が流し読取り位置を通過する際に、原稿の読取り面がスキャナユニット２２４のランプ２２３の光で照射され、その原稿からの反射光がミラー２２５、２２６、２２７を介してレンズ２２８に導かれる。このレンズ２２８を通過した光は、イメージセンサ２２９の撮像面に結像する。
【００２０】
このように流し読取り位置を左から右へ通過するように原稿を搬送することによって、原稿の搬送方向に対して直交する方向を主走査方向とし、搬送方向を副走査方向とする原稿読取り走査が行われる。すなわち、原稿が流し読取り位置を通過する際に主走査方向に原稿画像を１ライン毎にイメージセンサ２２９で読み取りながら、原稿を副走査方向に搬送することによって原稿画像全体の読取りが行われ、光学的に読み取られた画像はイメージセンサ２２９によって画像データに変換されて出力される。イメージセンサ２２９から出力された画像データは、後述する画像信号制御部２０２において所定の処理が施された後にプリンタ３００の露光制御部１１０にビデオ信号として入力される。
【００２１】
なお、原稿給送装置１００により原稿をプラテンガラス１０２上に搬送して所定位置に停止させ、この状態でスキャナユニット１０４を左から右へ走査させることにより原稿を読み取ることも可能である。この読取り方法は、いわゆる原稿固定読みと呼ばれる方法である。
【００２２】
原稿給送装置１００を使用しないで原稿を読み取るときには、まず、ユーザにより原稿給送装置１００を持ち上げてプラテンガラス２２２上に原稿を載置し、そして、スキャナユニット２２４を左から右へ走査させることにより原稿の読取りを行う。すなわち、原稿給送装置１００を使用しないで原稿を読み取るときには、原稿固定読みが行われる。
【００２３】
プリンタ３００の露光制御部３１０は、入力されたビデオ信号に基づきレーザ光を変調して出力し、該レーザ光はポリゴンミラー３１０ａにより走査されながら感光ドラム３１１上に照射される。感光ドラム３１１には走査されたレーザ光に応じた静電潜像が形成される。ここで、露光制御部３１０は、後述するように、原稿固定読み時には、正しい画像（鏡像でない画像）が形成されるようにレーザ光を出力する。
【００２４】
この感光ドラム３１１上の静電潜像は、現像器３１３から供給される現像剤によって現像剤像として可視像化される。また、レーザ光の照射開始と同期したタイミングで、各カセット３１４，３１５、手差給紙部３２５または両面搬送パス３２４から用紙が給紙され、この用紙は感光ドラム３１１と転写部３１６との間に搬送される。感光ドラム３１１に形成された現像剤像は転写部３１６により給紙された用紙上に転写される。
【００２５】
現像剤像が転写された用紙は定着部３１７に搬送され、定着部３１７は用紙を熱圧することによって現像剤像を用紙上に定着させる。定着部３１７を通過した用紙はフラッパ３２１および排出ローラ３１８を経てプリンタ３００から外部（フィニッシャ７００）に向けて排出される。
【００２６】
ここで、用紙をその画像形成面が下向きになる状態（フェイスダウン）で排出するときには、定着部３１７を通過した用紙をフラッパ３２１の切換動作により一旦反転パス３２２内に導き、その用紙の後端がフラッパ３２１を通過した後に、用紙をスイッチバックさせて排出ローラ３１８によりプリンタ３００から排出する。以下、この排紙形態を反転排紙と呼ぶ。この反転排紙は、原稿給送装置１００を使用して読み取った画像を形成するときまたはコンピュータから出力された画像を形成するときなどのように先頭頁から順に画像形成するときに行われ、その排紙後の用紙順序は正しい頁順になる。
【００２７】
また、手差給紙部３２５からＯＨＰシートなどの硬い用紙が給紙され、この用紙に画像を形成するときには、用紙を反転パス３２２に導くことなく、画像形成面を上向きにした状態（フェイスアップ）で排出ローラ３１８により排出する。
【００２８】
さらに、用紙の両面に画像形成を行う両面記録が設定されている場合には、フラッパ３２１の切換動作により用紙を反転パス３２２に導いた後に両面搬送パス３２４へ搬送し、両面搬送パス３２４へ導かれた用紙を上述したタイミングで感光ドラム３１１と転写部３１６との間に再度給紙する制御が行われる。
【００２９】
プリンタ３００から排出された用紙はフィニッシャ７００に送られる。フィニッシャ７００では、綴じ処理などの各後処理を行う。
【００３０】
（システムブロック図）
次に、本画像形成装置全体の制御を司るコントローラの構成について図２を参照しながら説明する。図２は図１の画像形成装置全体の制御を司るコントローラの構成を示すブロック図である。
【００３１】
コントローラは、図２に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，２０１，２０２，２０９，３０１，４０１，７０１を総括的に制御する。ＲＡＭ１５２は、制御データを一時的に保持し、また制御に伴う演算処理の作業領域として用いられる。
【００３２】
原稿給送装置制御部１０１は、原稿給送装置１００をＣＰＵ回路部１５０からの指示に基づき駆動制御する。イメージリーダ制御部２０１は、上述のスキャナユニット２２４、イメージセンサ２２９などに対する駆動制御を行い、イメージセンサ２２９から出力されたアナログ画像信号を画像信号制御部２０２に転送する。
【００３３】
画像信号制御部２０２は、イメージセンサ２２９からのアナログ画像信号をデジタル信号に変換した後に各処理を施し、このデジタル信号をビデオ信号に変換してプリンタ制御部３０１に出力する。また、コンピュータ２１０かｄら外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部３１０を駆動する。
【００３４】
操作表示装置制御部４０１は、操作表示装置４００とＣＰＵ回路部１５０との間で情報のやり取りを行う。操作表示装置４００は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００３５】
フィニッシャ制御部７０１はフィニッシャ７００に搭載され、ＣＰＵ回路部１５０と情報のやり取りを行うことによってフィニッシャ全体の駆動制御を行う。
【００３６】
（原稿搬送装置の説明）
以下、原稿搬送装置１００に関して図３を用いて説明する。
【００３７】
原稿搬送装置であるＡＤＦ１００は、原稿トレイ１２０上に表面を上に向けてセットされた原稿束Ｓからピックアップローラ１０１により、最上位の原稿から分離部１０２へと繰り出される。分離部１０２は、上方に分離ローラ、下方に分離パッドが配置されており、原稿束Ｓの最上紙より一枚ずつ分離を行う。
【００３８】
片面原稿で表面の画像を読み取る場合は、分離された原稿は、第１レジストローラ１０３にて分離搬送中の斜行補正を行った後、第１レジストローラ１０３から第２レジストローラ１０４、第１搬送ローラ１０５により搬送され、読取位置Ｒを搬送されている間に表面の画像が読み取られる。そして、第２搬送ローラ１０６から排紙ローラ１０８により、排紙トレイ１２１上に原稿表面を下に向けて順番に排出される。
【００３９】
また、両面原稿で表裏両面の画像を読み取る場合は、分離された原稿は、第１レジストローラ１０３にて分離搬送中の斜行補正を行った後、第２レジストローラ１０４から第１搬送ローラ１０５、第２搬送ローラ１０６により搬送され、読取位置Ｒを搬送されている間に表面の画像が読み取られる。そして、第２搬送ローラから排紙ローラ１０８により、一旦、原稿端部が排紙トレイ１２１上に搬送され、読取後端側が排紙ローラ１０８にニップされた状態で搬送が停止される。
【００４０】
その後、原稿をスイッチバック搬送し、第２レジストローラ１０４にて、再度斜行補正を行った後、第１搬送ローラ１０５、第２搬送ローラ１０６により搬送され、読取位置Ｒを再度搬送されている間に裏面の画像が読み取られる。
【００４１】
このまま、第２搬送ローラから排紙ローラ１０８により、排紙トレイ１２１上に原稿表面を上に向けて排出すると、原稿トレイ１２０上にセットされた面順と異なってしまう。よって、裏面を読み取られた原稿は、第２搬送ローラ１０６、排紙ローラ１０８により、再度原稿端部が排紙トレイ１２１上に搬送され、読取後端側が排紙ローラ１０８にニップされた状態で搬送が停止され、スイッチバック搬送し、第２レジストローラ１０４、第１搬送ローラ、第２搬送ローラにより搬送された後、排紙ローラ１０８により排紙トレイ１２１上に表面を下に向けて順番に排出される。但し、読取位置Ｒを搬送されている間であっても、この間は、原稿画像の読み取りは行われない。
【００４２】
原稿セット検知センサ１１４は、原稿トレイ１２０上に原稿がセットされているか否かを検知するためのセンサである。原稿トレイ１２０には、１対の幅方向規制板１１６が原稿Ｓの幅方向にスライド自在に配置されていて、原稿トレイ１２０に載置される原稿Ｓの幅方向を規制して、原稿Ｓの給送時の安定性を確保している。
【００４３】
また一対の幅方向規制板１１６について、内部のスライドスイッチ１１５の構成を図６に示す。幅方向規制板１１６を動かす事によって、内部の４つのスライドスイッチ１１５が５つのライン上でオンオフし、ＳＷ０〜ＳＷ４までの値が加算される事によって、図６のように原稿の幅方向のサイズが識別可能である。図７はスライドスイッチＳＷ０〜ＳＷ４によって決定される原稿Ｓの幅方向サイズ情報を表として示す図である。例えば、スライドＳＷ０、ＳＷ３だけが「１」である場合、サイズ情報はＡ４／Ａ３である。
【００４４】
分離検知センサ１１０、給紙検知センサ１１１、読み取り検知センサ１１２、排紙検知センサ１１３は搬送中の原稿を検知し、原稿の搬送状態を検出するのに使用されるとともに、原稿の搬送方向長さの検出にも使用される。
【００４５】
分離給紙検知センサ１１０、給紙検知センサ１１１、読み取り検知センサ１１２を用いた原稿の搬送方向長さの検出方法について説明する。
【００４６】
分離された原稿は、第１レジストローラ１０３にて分離搬送中の斜行補正を行った後、第１レジストローラ１０３から第２レジストローラ１０４、第１搬送ローラ１０５により搬送される。読み取り検知センサ１１２によって原稿先端が検知されたとき、分離給紙検知センサ１１０、給紙検知センサ１１１の出力から用紙長さを判断する。図８が読み取り検知センサ１１２によって原稿先端が検知ときの、分離給紙検知センサ１１０、給紙検知センサ１１１の出力から決定される原稿Ｓの搬送（長さ）方向サイズ情報を表として示す図である。本実施例では、読み取り検知センサ１１２と、給紙検知センサ１１１の距離は約２６０ｍｍ、読み取り検知センサ１１２と分離給紙検知センサ１１０の距離はである約３００ｍｍである。例えば、図７において、原稿サイズがＡ４またはＡ３と判断されている状態で、原稿搬送を開始し、搬送中の原稿の先端が、読み取り検知センサ１１２によって原稿先端が検知されたときの給紙検知センサ１１１の出力がＯＮであった場合、原稿サイズはＡ３、ＯＦＦであった場合は、Ａ４と判別される。
【００４７】
（操作表示装置）
図４は図１の画像形成装置における操作表示装置４００を示す図である。
【００４８】
操作表示装置４００には、画像形成動作を開始するためのスタートキー４０２、画像形成動作を中断するためのストップキー４０３、置数設定等を行うテンキー４０４〜４１２および４１４、ＩＤキー４１３、クリアキー４１５、リセットキー４１６、メンテナンスキー４１７などが配置されている。また、上部にタッチパネルが形成された液晶表示部４２０が配置されており、画面上にソフトキーを作成可能となっている。
【００４９】
（モード設定フロー）
以下、図１１の混載モード設定フローについて説明する。
【００５０】
ＣＰＵ１５０はユーザによって操作部４００のスタートキー４０２が押下されたと判断した時、読み取り動作を開始し、原稿セット検知センサ１１４において原稿トレイ上１２０の原稿ありなしを判断する（Ｓ２０−１）。ステップＳ２０−１において、原稿セット検知センサ１１４がＯＮ、すなわち原稿トレイ上１２０の原稿ありと判断した場合、原稿流し読みモード、すなわち原稿給紙装置１００を用いた原稿読み取り動作を開始する（Ｓ２０−２）。
【００５１】
そして、混載モードが操作部４００において、ユーザによって設定されているかどうかを判断する（Ｓ２０−３）。ステップＳ２０−３において、混載モードが設定されていると判断した場合、混載モードＦＬＧをセットするとともに混載モード動作を開始する（Ｓ２０−４）。
【００５２】
ステップＳ２０−３において、混載モードが設定されていないと判断した場合、混載モードＦＬＧをクリアするとともに通常動作を開始する（Ｓ２０−５）。
【００５３】
また、原稿セット検知センサ１１４がＯＦＦ、すなわち原稿トレイ上１２０の原稿なしと判断した場合、原稿固定読みモード、すなわち原稿給紙装置１００を用いない原稿読み取り動作を開始する（Ｓ２０−３）。
【００５４】
（原稿サイズ検知フロー）
以下、図１０の原稿サイズ検知フローについて説明する。
【００５５】
ステップＳ２０−２において原稿給紙装置１００を用いた原稿読み取り動作を開始した場合、原稿サイズ検知を開始する。ＣＰＵ１５０は混載ＦＬＧをクリアする（Ｓ２１−１）。そして、読み取り検知センサ１１２によって原稿先端を検知したかどうかを判断する（Ｓ２１−２）。ステップＳ２１−２において、読み取り検知センサ１１２によって原稿先端を検知したと判断した場合、分離給紙検知センサ１１０、給紙検知センサ１１１の出力から搬送されている原稿のサイズを判断する（Ｓ２１−３）。原稿サイズ判断は図８を用いる。
【００５６】
そして、ステップＳ２１−３において判断された搬送中の原稿サイズと、１つ前に搬送された原稿サイズとを比較し、原稿サイズが同じであるかどうか判断する（Ｓ２１−４）。
【００５７】
ステップＳ２１−４において、搬送中の原稿サイズと１つ前に搬送された原稿サイズが同じであると判断した場合は、ステップＳ２１−６を実行する。ステップＳ２１−４において、搬送中の原稿サイズと１つ前に搬送された原稿サイズが違うと判断した場合は、混載ＦＬＧをセットする（Ｓ２１−５）。そして、ステップＳ２１−３において、検知した原稿サイズを、１つ前の原稿サイズデータとして格納する（Ｓ２１−６）。そして、読み取り検知センサ１１２によって原稿後端を検知したかどうかを判断する（Ｓ２１−７）。
【００５８】
ステップＳ２１−７において、読み取り検知センサ１１２によって原稿後端を検知したと判断した場合、全ての原稿の読み取りが完了したかどうか判断する（Ｓ２１−８）。ステップＳ２１−８において、全ての原稿の読み取りが完了したと判断した場合は原稿サイズ検知処理を終了する。ステップＳ２１−８において、全ての原稿の読み取りが完了していないと判断した場合は、再びステップＳ２１−２を実行する。
【００５９】
（混載操作画面表示フロー）
以下、図１２の混載操作画面表示フローについて説明する。
ステップＳ２０−２において原稿給紙装置１００を用いた原稿読み取り動作を開始する。
【００６０】
ＣＰＵ１５０はステップＳ２０−４において混載モードがセットされたかどうかを判断する（Ｓ２２−１）。そして、ステップＳ２１−５において、原稿の混載を検知したかどうかを判断する（Ｓ２２−２）。ステップＳ２２−２において、混載フラグがセットされていないと判断した場合は、全ての原稿の読み取りが完了したかどうか判断する（Ｓ２２−８）。ステップＳ２２−８において、全ての原稿の読み取りが完了したと判断した場合は混載操作画面表示処理を終了する。ステップＳ２２−８において、全ての原稿の読み取りが完了していないと判断した場合は、再びステップＳ２２−２を実行する。また、ステップＳ２２−２において、混載フラグがセットされたと判断した場合は、操作部４００の表示画面に混載モードの説明表示を表示するかどうかの選択画面（図９ｂ）を表示する（Ｓ２２−３）。そして、混載モードの説明表示を表示するが選択されたかどうかを判断する（Ｓ２２−４）。ステップＳ２２−４において、混載モードの説明表示を表示するが選択されたと判断した場合、混載モードを説明した表示画面（図９ｃ）を操作部４００の画面に表示する（Ｓ２２−５）。そして、メイン画面に戻るが選択されたかどうかを判断する（Ｓ２２−６）。ステップＳ２２−６において、ユーザによってメイン画面に戻るが選択されたと判断した場合は、動作中のメイン画面（図９ａ）を表示し（Ｓ２２−７）混載操作画面表示処理を終了する。
【００６１】
ステップＳ２２−４において、混載モードの説明表示を表示するが選択されなかったと判断した場合、混載モードの説明表示を表示しないが選択されたかどうかを判断する（Ｓ２２−９）。ステップＳ２２−９において、混載モードの説明表示を表示しないが選択されなかったと判断した場合、再びステップＳ２２−４を実行する。ステップＳ２２−９において、混載モードの説明表示を表示しないが選択されたと判断した場合、混載操作画面表示処理を終了する。
【００６２】
また、ユーザに混載モードの使用方法が浸透した場合、混載モードの説明画面の表示が、ユーザにとってはわずらわしくなることを考慮し、混載操作画面表示動作のＯＮ，ＯＦＦを設定可能にしておくことが望ましいと考えられる。よって以下、混載操作画面表示動作のＯＮ，ＯＦＦを設定可能な場合について説明する。
【００６３】
操作表示装置４００のメンテナンスキー４１７が押下されると、ユーザが所望の設定を行うための選択画面が表示される（図１３ａ）。図１３ａにおいて、ユーザがコピー仕様設定を選択すると、コピー仕様設定画面が表示される（図１３ｂ）。そして、図１３ｂにおいて、ユーザが混載モード説明画面自動表示を選択すると、混載モード説明画面自動表示のＯＮ、ＯＦＦ設定画面が表示される（図１３ｃ）。図１３ｃにおいて、ユーザは混載モード説明画面自動表示のＯＮ，ＯＦＦを設定することが出来る。
【００６４】
（第２の混載操作画面表示フロー）
以下、図１４の混載操作画面表示フローについて説明する。
【００６５】
ステップＳ２０−２において原稿給紙装置１００を用いた原稿読み取り動作を開始する。
【００６６】
ＣＰＵ１５０はステップ操作表示装置４００において混載操作画面表示動作がＯＮに設定されているかどうかを判断する（Ｓ２３−１）。ステップＳ２３−１において、混載操作画面表示動作がＯＦＦであると判断した場合は、混載操作画面表示処理を終了する。また、ステップＳ２３−１において、混載操作画面表示動作がＯＮであると判断した場合、ＣＰＵ１５０はステップＳ２０−４において混載モードがセットされたかどうかを判断する（Ｓ２３−２）。
【００６７】
そして、ステップＳ２１−５において、原稿の混載を検知したかどうかを判断する（Ｓ２３−３）。ステップＳ２３−３において、混載フラグがセットされていないと判断した場合は、全ての原稿の読み取りが完了したかどうか判断する（Ｓ２３−１０）。ステップＳ２３−１０において、全ての原稿の読み取りが完了したと判断した場合は混載操作画面表示処理を終了する。ステップＳ２３−１０において、全ての原稿の読み取りが完了していないと判断した場合は、再びステップＳ２３−３を実行する。
【００６８】
また、ステップＳ２３−３において、混載フラグがセットされたと判断した場合は、操作部４００の表示画面に混載モードの説明表示を表示するかどうかの選択画面（図９ｂ）を表示する（Ｓ２３−４）。そして、混載モードの説明表示を表示するが選択されたかどうかを判断する（Ｓ２３−８）。ステップＳ２３−８において、混載モードの説明表示を表示するが選択されたと判断した場合、混載モードを説明した表示画面（図９ｃ）を操作部４００の画面に表示する（Ｓ２３−５）。そして、メイン画面に戻るが選択されたかどうかを判断する（Ｓ２３−６）。ステップＳ２３−６において、ユーザによってメイン画面に戻るが選択されたと判断した場合は、動作中のメイン画面（図９ａ）を表示し（Ｓ２３−７）、混載操作画面表示処理を終了する。
【００６９】
ステップＳ２３−８において、混載モードの説明表示を表示するが選択されなかったと判断した場合、混載モードの説明表示を表示しないが選択されたかどうかを判断する（Ｓ２３−９）。ステップＳ２３−９において、混載モードの説明表示を表示しないが選択されなかったと判断した場合、再びステップＳ２３−８を実行する。ステップＳ２３−９において、混載モードの説明表示を表示しないが選択されたと判断した場合、混載操作画面表示処理を終了する。
【図面の簡単な説明】
【００７０】
【図１】全体構成図
【図２】全体のブロック図
【図３】原稿給送装置の断面図
【図４】操作表示装置の説明図
【図５】スライドスイッチ１１５の構成図
【図６】原稿サイズ検知の一例を示す表
【図７】原稿サイズ検知の一例を示す表
【図８】混載モードと非混載モードの出力結果の説明図
【図９】操作表示装置に表示される画面の一例を示す図
【図１０】原稿サイズ検知フローを示す図
【図１１】モード設定フローを示す図
【図１２】混載操作画面表示フローを示す図
【図１３】操作表示装置に表示される画面の一例を示す図
【図１４】混載操作画面表示フローを示す図
【図１】
2006108858.tif 000003
【図２】
2006108858.tif 000004
【図３】
2006108858.tif 000005
【図４】
2006108858.tif 000006
【図５】
2006108858.tif 000007
【図６】
2006108858.tif 000008
【図７】
2006108858.tif 000009
【図８】
2006108858.tif 000010
【図９】
2006108858.tif 000011
【図１０】
2006108858.tif 000012
【図１１】
2006108858.tif 000013
【図１２】
2006108858.tif 000014
【図１３】
2006108858.tif 000015
【図１４】
2006108858.tif 000016